(57)【要約】    【課題】  全系が小型で物体距離全般にわたり高い光学性能が得られ、しかも撮影倍率０．５倍を超える高撮影倍率が可能なマクロ駆動機能を有するズームレンズを得ること。    【解決手段】    物体側から像側へ順に、正の屈折力が最も強いレンズ群Ｌｐ、負の屈折力のレンズ群Ｌｎ、正の屈折力のレンズ群Ｌｐ２より構成される部分系を含むズームレンズであって、広角端から望遠端へのズーミングと、無限遠から第１の物体距離までのフォーカシングが可能な領域を第１領域とし、第１の物体距離より短い物体距離へのフォーカシングが可能な領域を第２領域とするとき、第１領域においては、ズーミングに際して複数のレンズ群が移動し、フォーカシングに際して１つのレンズ群が移動し、第１領域の望遠端から２以上のレンズ群が移動することにより、第１領域から第２領域へ移行すること。【選択図】    図１
2014016465.tif 000002
【特許請求の範囲】
【請求項１】
物体側から像側へ順に、正の屈折力が最も強いレンズ群Ｌｐ、負の屈折力のレンズ群Ｌｎ、正の屈折力のレンズ群Ｌｐ２より構成される部分系を含むズームレンズであって、広角端から望遠端へのズーミングと、無限遠から第１の物体距離までのフォーカシングが可能な領域を第１領域とし、前記第１の物体距離より短い物体距離へのフォーカシングが可能な領域を第２領域とするとき、前記第１領域においては、ズーミングに際して複数のレンズ群が移動し、フォーカシングに際して１つのレンズ群が移動し、前記第１領域の望遠端又は広角端から２以上のレンズ群が移動することにより、前記第１領域から前記第２領域へ移行し、前記第２領域においては、前記第１領域の広角端に比べて、前記レンズ群Ｌｐが物体側に位置しており、前記レンズ群Ｌｐと前記レンズ群Ｌｎの間隔は、前記第１領域の広角端よりも前記第２領域の最至近距離端において大きく、前記レンズ群Ｌｎと前記レンズ群Ｌｐ２の間隔は、前記第１領域の広角端よりも前記第２領域の最至近距離端において小さいことを特徴とするズームレンズ。
【請求項２】
前記第１領域のフォーカシングに際して移動するレンズ群を移動させて、前記第２領域のフォーカシングを行うことを特徴とする請求項１に記載のズームレンズ。
【請求項３】
前記レンズ群Ｌｐと前記レンズ群Ｌｐ２の焦点距離を各々ＦＬｐ、ＦＬｐ２とするとき、
０．０５＜ＦＬｐ／ＦＬｐ２＜０．６０
なる条件式を満たすことを特徴とする請求項１又は２に記載のズームレンズ。
【請求項４】
前記レンズ群Ｌｎと前記レンズ群Ｌｐの焦点距離を各々ＦＬｎ、ＦＬｐとするとき、
０．２０＜ＦＬｐ／｜ＦＬｎ｜＜０．９０
なる条件式を満たすことを特徴とする請求項１乃至３のいずれか１項に記載のズームレンズ。
【請求項５】
前記第２領域の最至近距離端における、前記レンズ群Ｌｐの物体側のレンズ面頂点から前記部分系の前側主点位置までの距離をｏ１ＬＰ、前記第２領域の最至近距離端における、前記レンズ群Ｌｐの物体側のレンズ面頂点から前記レンズ群Ｌｐ２の像側のレンズ面頂点までの距離をＢｌｄＬＰとするとき、
−０．３０＜ｏ１ＬＰ／ＢｌｄＬＰ＜０．４０
なる条件式を満たすことを特徴とする請求項１乃至４のいずれか１項に記載のズームレンズ。
【請求項６】
前記第１領域の望遠端から前記第２領域の最至近距離端まで変化させたときの前記レンズ群Ｌｐの移動量をｍＬｐ、前記第１領域の広角端におけるレンズ全長をＴＬＤｗ、前記第２領域において最至近距離の物体にフォーカスしたときの撮影倍率をβｍとするとき、
０．０１＜（ｍＬｐ／ＴＬＤｗ）／βｍ＜０．４０
なる条件式を満たすことを特徴とする請求項１乃至５のいずれか１項に記載のズームレンズ。
【請求項７】
物体側より像側へ順に、正の屈折力の第１レンズ群、負の屈折力の第２レンズ群を前記部分系とは別に有し、広角端から望遠端へのズーミングに際し、前記第１レンズ群と前記第２レンズ群の間隔が大きくなることを特徴とする請求項１乃至６のいずれか１項に記載のズームレンズ。
【請求項８】
前記第１領域の望遠端から前記第２領域の最至近距離端へ変化させるとき、前記第１レンズ群は像側へ移動することを特徴とする請求項７に記載のズームレンズ。
【請求項９】
最も物体側に負の屈折力の第１レンズ群が前記部分系とは別に配置されていることを特徴とする請求項１乃至６のいずれか１項に記載のズームレンズ。
【請求項１０】
前記第１領域のフォーカシングに際して移動するレンズ群は、負の屈折力が最も強いレンズ群であることを特徴とする請求項１乃至９のいずれか１項に記載のズームレンズ。
【請求項１１】
前記第１領域の望遠端において無限遠物体にフォーカスしているときの、フォーカシングに際して移動するレンズ群の光軸方向の位置と、該レンズ群の像側に隣り合うレンズ群の光軸方向の位置は、前記第２領域の一部においてオーバーラップすることを特徴とする請求項１０に記載のズームレンズ。
【請求項１２】
前記レンズ群Ｌｐと前記レンズ群Ｌｐ２はズーミングに際して、一体で移動することを特徴とする請求項１乃至１１のいずれか１項に記載のズームレンズ。
【請求項１３】
前記ズームレンズは、物体側より像側へ順に、正の屈折力の第１レンズ群、負の屈折力の第２レンズ群、正の屈折力の第３レンズ群、負の屈折力の第４レンズ群、正の屈折力の第５レンズ群、負の屈折力の第６レンズ群、正の屈折力の第７レンズ群で構成され、ズーミングに際して各レンズ群が移動し、前記部分系は前記第５レンズ群、前記第６レンズ群、前記第７レンズ群を含むことを特徴とする請求項１乃至６のいずれか１項のズームレンズ。
【請求項１４】
前記ズームレンズは、物体側より像側へ順に、正の屈折力の第１レンズ群、負の屈折力の第２レンズ群、正の屈折力の第３レンズ群、正の屈折力の第４レンズ群、負の屈折力の第５レンズ群、正の屈折力の第６レンズ群で構成され、ズーミングに際して各レンズ群が移動し、前記部分系は前記第３レンズ群、前記第５レンズ群、前記第６レンズ群を含むことを特徴とする請求項１乃至６のいずれか１項のズームレンズ。
【請求項１５】
前記ズームレンズは、物体側より像側へ順に、負の屈折力の第１レンズ群、正の屈折力の第２レンズ群、負の屈折力の第３レンズ群、正の屈折力の第４レンズ群、負の屈折力の第５レンズ群、正の屈折力の第６レンズ群で構成され、ズーミングに際して各レンズ群が移動し、前記部分系は前記第４レンズ群、前記第５レンズ群、前記第６レンズ群を含むことを特徴とする請求項１乃至６のいずれか１項のズームレンズ。
【請求項１６】
前記ズームレンズは、物体側より像側へ順に、正の屈折力の第１レンズ群、負の屈折力の第２レンズ群、正の屈折力の第３レンズ群、負の屈折力の第４レンズ群、正の屈折力の第５レンズ群で構成され、ズーミングに際して各レンズ群が移動し、前記部分系は前記第３レンズ群、前記第４レンズ群、前記第５レンズ群を含むことを特徴とする請求項１乃至６のいずれか１項のズームレンズ。
【請求項１７】
請求項１乃至１６のいずれか１項に記載のズームレンズを有することを特徴とする撮像装置。
【発明の詳細な説明】
【技術分野】
【０００１】
本発明は、デジタルカメラ、ビデオカメラ等に好適なズームレンズに関する。特に、無限遠から最至近撮影距離に至る物体距離全般にわたり良好な光学性能が得られるマクロ機構を備えるズームレンズに関するものである。
【背景技術】
【０００２】
撮像装置に用いられる多くの撮影光学系には、高ズーム比のズームレンズであると同時に、より近接する被写体を高い撮影倍率で撮影できることが要望されている。ズームレンズのフォーカシング方法として、最も物体側に配置された第１レンズ群の像側に配置されている少なくとも１つのレンズ群を光軸方向に移動させてフォーカシングするインナーフォーカス方式が知られている（特許文献１）。
【０００３】
特許文献１のズームレンズは、正、負、正、正の屈折力の第１乃至第４レンズ群よりなる４群ズームレンズにおいて、第２レンズ群を物体側に移動させることで無限遠物体から近距離物体へのフォーカシングを行っている。
【０００４】
また、フォーカシングの際の収差変動を改善するために、複数のレンズ群を光軸方向に移動させるフローティング方式が知られている（特許文献２）。また、マクロ機構を有するズームレンズが知られている（特許文献３）。特許文献３のズームレンズでは、望遠端において、第１レンズ群と第２レンズ群の間隔が増大するように第１レンズ群を第２レンズ群を移動させることにより、マクロ撮影を可能としている。
【先行技術文献】
【特許文献】
【０００５】
【特許文献１】特開２０１０−０１９９４５号公報
【特許文献２】特開２０００−０４７１０７号公報
【特許文献３】特開平１１−３５２４０２号公報
【発明の概要】
【発明が解決しようとする課題】
【０００６】
ズームレンズにおいて、全ズーム範囲および物体距離全般（全フォーカス範囲）において高い光学性能を得るためには、ズームレンズを構成する各レンズ群のパワーやレンズ構成、ズーム方式やフォーカシング方式を適切に設定する必要がある。一般に、撮影可能な物体距離を短くし、撮影倍率を大きくしようとすると、フォーカシングに際して収差変動が増大し、光学性能が低下しやすい。また、フォーカスレンズ群の移動量が大きくなって、大型化する等の問題がある。
【０００７】
特許文献１は、全ズーム領域で、ある程度の近距離物体までフォーカシングが可能であり、望遠端における最至近物体では０．２倍程度の撮影倍率が得られる。
【０００８】
特許文献１では、第２レンズ群がフォーカシングで移動する分だけ光軸方向にスペースを確保する必要がある。このため、全系の小型化を図りつつ、０．５倍を超える高い撮影倍率を得ることが難しい。また、フォーカシングに際して、第２レンズ群のみが移動するため、収差変動が大きくなり、特に望遠端において収差変動が大きくなりやすい。
【０００９】
特許文献２は、正、負、正、負、正、負の屈折力の第１乃至第６レンズ群からなる６群ズームレンズにおいて、第４レンズ群を物体側に、第６レンズ群を像側に移動させることで、無限遠物体から近距離物体へのフォーカシングを行っている。全ズーム領域で、ある程度の近距離物体までフォーカシングが可能であり、望遠端における最至近物体では０．２倍程度の撮影倍率が得られる。フォーカシングに際して、第６レンズ群の移動により生じる収差を補償するように第４レンズ群が移動することにより、フォーカシングに伴う収差変動を低減している。
【００１０】
しかしながら、第４レンズ群と第６レンズ群がフォーカシングで移動する分だけ光軸方向にスペースを確保する必要がある。このため、全系の小型化を図りつつ、０．５倍を超える高い撮影倍率を得ることが難しい。
【００１１】
特許文献３では、０．５倍程度の高い撮影倍率が得られるマクロ機構を備えるズームレンズを開示しているが、マクロ撮影のためのレンズ群の駆動方法等が、全系の小型化、高性能化に適したものではなかった。
【００１２】
本発明は、全系が小型であり、物体距離全般にわたり高い光学性能が得られ、高い撮影倍率が得られるマクロ駆動機構を有するズームレンズ及びそれを有する撮像装置を提供することを目的とする。
【課題を解決するための手段】
【００１３】
本発明のズームレンズは、物体側から像側へ順に、正の屈折力が最も強いレンズ群Ｌｐ、負の屈折力のレンズ群Ｌｎ、正の屈折力のレンズ群Ｌｐ２より構成される部分系を含むズームレンズであって、広角端から望遠端へのズーミングと、無限遠から第１の物体距離までのフォーカシングが可能な領域を第１領域とし、前記第１の物体距離より短い物体距離へのフォーカシングが可能な領域を第２領域とするとき、前記第１領域においては、ズーミングに際して複数のレンズ群が移動し、フォーカシングに際して１つのレンズ群が移動し、前記第１領域の望遠端又は広角端から２以上のレンズ群が移動することにより、前記第１領域から前記第２領域へ移行し、前記第２領域においては、前記第１領域の広角端に比べて、前記レンズ群Ｌｐが物体側に位置しており、前記レンズ群Ｌｐと前記レンズ群Ｌｎの間隔は、前記第１領域の広角端よりも前記第２領域の最至近距離端において大きく、前記レンズ群Ｌｎと前記レンズ群Ｌｐ２の間隔は、前記第１領域の広角端よりも前記第２領域の最至近距離端において小さいことを特徴としている。
【００１４】
ここで最至近距離端（マクロ端）とは、フォーカシングレンズが近接状態の時に、最も近接するようにマクロ駆動した状態を言う。
【発明の効果】
【００１５】
本発明によれば、全系が小型で物体距離全般にわたり高い光学性能が得られ、しかも撮影倍率０．５倍を超える高い撮影倍率が得られるマクロ機構を有するズームレンズが得られる。
【図面の簡単な説明】
【００１６】
【図１】本発明の実施例１のズームレンズのレンズ断面図
【図２】（Ａ）、（Ｂ）、（Ｃ）  本発明の数値実施例１のズームレンズの第１領域の広角端、望遠端の物体距離無限、第２領域のマクロ端（フォーカス最至近状態）（最至近距離端）における収差図
【図３】本発明の実施例２のズームレンズのレンズ断面図
【図４】（Ａ）、（Ｂ）、（Ｃ）  本発明の数値実施例２のズームレンズの第１領域の広角端、望遠端の物体距離無限、第２領域のマクロ端（フォーカス最至近状態）における収差図
【図５】本発明の実施例３のズームレンズのレンズ断面図
【図６】（Ａ）、（Ｂ）、（Ｃ）  本発明の数値実施例３のズームレンズの第１領域の広角端、望遠端の物体距離無限、第２領域のマクロ端（フォーカス最至近状態）における収差図
【図７】本発明の実施例４のズームレンズのレンズ断面図
【図８】（Ａ）、（Ｂ）、（Ｃ）  本発明の数値実施例４のズームレンズの第１領域の広角端、望遠端の物体距離無限、第２領域のマクロ端（フォーカス最至近状態）における収差図
【図９】本発明の実施例５のズームレンズのレンズ断面図
【図１０】（Ａ）、（Ｂ）、（Ｃ）  本発明の数値実施例５のズームレンズの第１領域の広角端、望遠端の物体距離無限、第２領域のマクロ端（フォーカス最至近状態）における収差図
【図１１】本発明の実施例６のズームレンズのレンズ断面図
【図１２】（Ａ）、（Ｂ）、（Ｃ）  本発明の数値実施例６のズームレンズの第１領域の広角端、望遠端の物体距離無限、第２領域のマクロ端（フォーカス最至近状態）における収差図
【図１３】本発明の撮像装置の要部概略図
【発明を実施するための形態】
【００１７】
以下、図面を用いて本発明のズームレンズ及びそれを有する撮像装置の実施例について説明する。本発明のズームレンズは、複数のレンズ群を有する。複数のレンズ群には物体側から像側へ順に、正の屈折力が全系で最も強いレンズ群Ｌｐ、負の屈折力のレンズ群Ｌｎ、正の屈折力のレンズ群Ｌｐ２が配列された部分系が含まれている。複数のレンズ群のうちの１つのレンズ群を移動させて合焦を行うフォーカシング駆動機構と、２以上のレンズ群を移動させてズーミングを行うズーム駆動機構と、２つ以上のレンズ群を移動させるマクロ駆動機構を有している。
【００１８】
無限遠（無限遠物体）から有限距離（第１の物体距離）まで合焦可能な距離範囲を第１領域とする。第１領域の有限距離から更に近い至近距離（最至近距離）まで合焦可能な距離範囲を第２領域とする。第１領域ではフォーカシング駆動機構とズーム駆動機構によってフォーカシング及びズーミングが行われる。尚、第１領域の望遠端又は広角端から２以上のレンズ群が移動することにより、第１領域から第２領域へ移行する。
【００１９】
望遠端のズーム位置において第１領域内の有限距離から第２領域内の至近距離へのマクロフォーカシングに際してはマクロ駆動機構を動作させて行う。
第１領域の広角端に比べて第２領域ではレンズ群Ｌｐは物体側に位置している。そして、第２領域の最至近距離端（マクロ端）においては、第１領域の広角端に比べてレンズ群Ｌｐとレンズ群Ｌｎの間隔が広く、レンズ群Ｌｎとレンズ群Ｌｐ２の間隔が狭くなるように各レンズ群が移動する。
【００２０】
望遠端において第１領域の有限距離の物体にフォーカスしている状態より、マクロ駆動機構により２以上のレンズ群を移動させてマクロフォーカシングを行うことにより、有限距離物体から第２領域の最至近距離の物体まで連続してフォーカシングを行っている。また本発明のズームレンズでは、第２領域においてマクロ駆動機構の動作を停止し、フォーカシング駆動機構を動作させてフォーカス調整をする。例えばフォーカスリングを回動させて又はオートフォーカス動作によりフォーカシングレンズ群を動作させてフォーカス調整を行う。
【００２１】
図１は本発明のズームレンズの実施例１のレンズ断面図である。図２（Ａ）、（Ｂ）、（Ｃ）は本発明の実施例１の収差図である。図３は本発明のズームレンズの実施例２のレンズ断面図である。図４（Ａ）、（Ｂ）、（Ｃ）は本発明の実施例２の収差図である。図５は本発明のズームレンズの実施例３のレンズ断面図である。図６（Ａ）、（Ｂ）、（Ｃ）は本発明の実施例３の収差図である。
【００２２】
図７は本発明のズームレンズの実施例４のレンズ断面図である。図８（Ａ）、（Ｂ）、（Ｃ）は本発明の実施例４の収差図である。図９は本発明のズームレンズの実施例５のレンズ断面図である。図１０（Ａ）、（Ｂ）、（Ｃ）は本発明の実施例５の収差図である。図１１は本発明のズームレンズの実施例６のレンズ断面図である。図１２（Ａ）、（Ｂ）、（Ｃ）は本発明の実施例６の収差図である。図１３は本発明の撮像装置の要部概略図である。
【００２３】
各レンズ断面図において、ｉを物体側から数えたときの順番としたときＬｉは第ｉレンズ群である。ＬＲは１以上のレンズ群を含む部分系（合成レンズ群）である。部分系ＬＲはレンズ群中で物体側から像側へ順に、正の屈折力が最も強いレンズ群Ｌｐ、負の屈折力のレンズ群Ｌｎ、正の屈折力のレンズ群Ｌｐ２が配列されている。尚、これらの各レンズ群の間に他のレンズ群が配置されている場合もある。ＳＰは開口絞りである。
【００２４】
ＩＰは像面であり、ビデオカメラやデジタルスチルカメラの撮影光学系として使用する際にはＣＣＤセンサやＣＭＯＳセンサ等の固体撮像素子（光電変換素子）の撮像面が、銀塩フィルム用カメラのときはフィルム面に相当する。レンズ断面図において、第１領域はズーミング駆動（領域）を示す。第２領域はマクロ駆動（領域）を示す。
【００２５】
また第１領域において、矢印は広角端から望遠端のズーム位置へのズーミングにおける各レンズ群の移動軌跡を示している。第２領域において矢印は第１領域の望遠端から第２領域のマクロ端にマクロ駆動するときの各レンズ群の移動方向を示している。フォーカス（Focus）に関する矢印は、遠距離側から近距離側にフォーカスする時のレンズ群の移動方向を示している。
【００２６】
球面収差図において、実線と２点鎖線は各々ｄ線、ｇ線である。非点収差図において、実線と破線は各々ｄ線におけるメリディオナル像面、サジタル像面である。倍率色収差はｇ線によって表している。ＦｎｏはＦナンバー、ωは半画角である。
【００２７】
図１の実施例１は、物体側より像側へ順に、正の屈折力の第１レンズ群Ｌ１、負の屈折力の第２レンズ群Ｌ２、正の屈折力の第３レンズ群Ｌ３、負の屈折力の第４レンズ群Ｌ４、正の屈折力の第５レンズ群Ｌ５を有する。更に、負の屈折力の第６レンズ群Ｌ６、正の屈折力の第７レンズ群Ｌ７で構成される７群ズームレンズである。広角端から望遠端へのズーミングに際しては、矢印の如く第１レンズ群Ｌ１、第３レンズ群Ｌ３乃至第７レンズ群Ｌ７がいずれも物体側へ移動し、第２レンズ群Ｌ２は像側に凸状の軌跡を描いて移動する。第２レンズ群Ｌ２でフォーカシングを行っている。
【００２８】
図３の実施例２は、物体側より像側へ順に、正の屈折力の第１レンズ群Ｌ１、負の屈折力の第２レンズ群Ｌ２、正の屈折力の第３レンズ群Ｌ３、正の屈折力の第４レンズ群Ｌ４、負の屈折力の第５レンズ群Ｌ５を有する。更に正の屈折力の第６レンズ群Ｌ６で構成される６群ズームレンズである。広角端から望遠端へのズーミングに際しては矢印の如く第１レンズ群Ｌ１、第３レンズ群Ｌ３乃至第６レンズ群Ｌ６がいずれも物体側へ移動し、第２レンズ群Ｌ２は像側へ凸状の軌跡を描いて移動する。第２レンズ群Ｌ２でフォーカシングを行っている。
【００２９】
図５の実施例３のレンズ構成は、図１の実施例１と同じである。図７の実施例４は、物体側より像側へ順に、負の屈折力の第１レンズ群Ｌ１、正の屈折力の第２レンズ群Ｌ２、負の屈折力の第３レンズ群Ｌ３、正の屈折力の第４レンズ群Ｌ４、負の屈折力の第５レンズ群Ｌ５を有する。更に正の屈折力の第６レンズ群Ｌ６で構成される６群ズームレンズである。広角端から望遠端へのズーミングに際して、第１レンズ群Ｌ１は像側へ凸状の軌跡を描いて移動し、第２レンズ群Ｌ２乃至第６レンズ群Ｌ６はいずれも物体側へ移動する。
【００３０】
第１レンズ群Ｌ１でフォーカシングを行っている。図９の実施例５のレンズ構成及びズーミング方式は図１の実施例１と同じである。
【００３１】
図１１の実施例６は物体側より像側へ順に、正の屈折力の第１レンズ群Ｌ１、負の屈折力の第２レンズ群Ｌ２、正の屈折力の第３レンズ群Ｌ３、負の屈折力の第４レンズ群Ｌ４、正の屈折力の第５レンズ群Ｌ５で構成される５群ズームレンズである。広角端から望遠端へのズーミングに際して、第１レンズ群Ｌ１、第３レンズ群Ｌ３乃至第５レンズ群Ｌ５はいずれも物体側へ移動し、第２レンズ群Ｌ２は像側に凸状の軌跡を描いて移動する。第２レンズ群Ｌ２でフォーカシングを行っている。
【００３２】
特許文献１や２のズームレンズのように、フォーカシングに際し、１つまたは、２つのレンズ群が移動するタイプでは、広角端から望遠端までの全焦点距離範囲で、無限遠物体からある近距離物体までのフォーカシングが容易である。フォーカシングによる収差変動については、フォーカスレンズ群が単一の場合は、収差変動の補正が難しく、特に望遠端において光学性能が劣化してくる。これに比べて２つのレンズ群が移動するフローティング方式は収差変動の補正が容易となる。
【００３３】
しかしながら、フォーカシング用のレンズ群が、ズーミングに際して移動しない方式では、ズーミングとは別にフォーカシングで移動する分だけ光軸方向にスペースを確保する必要がある。このため、高撮影倍率化を求めるほど、全系が大型化してくる。例えば特許文献１において高撮影倍率化を図った場合、負の屈折力の第２レンズ群がフォーカシングで物体側に大きく移動する分、第１レンズ群と第２レンズ群の間を予め空けておく必要がある。このため広角端におけるパワー配置がレトロフォーカス型から外れてくる傾向があった。
【００３４】
特許文献３のズームレンズでは、ある一定の焦点距離でのみ高撮影倍率化を図った所謂ワンポイントマクロ領域方式を利用している。特許文献３では、通常モード時は、特許文献１や２のズームレンズと同様、ズーミングとフォーカシングが独立している（本件の第１領域に対応している）。広角端から望遠端までの全焦点距離域範囲で、第３レンズ群を像側に移動することである程度の近距離物体までフォーカシングを容易にしている。
【００３５】
それに加え、特許文献３ではワンポイントマクロ領域を備え、第１レンズ群と第２レンズ群をマクロ撮影用に再配置することで、望遠端において、高撮影倍率化を容易にしている（本件の第２領域に対応している）。
【００３６】
しかしながら、特許文献３では、ワンポイントマクロ領域で第３レンズ群以降の正の屈折力の合成レンズ群が不動であるため、高撮影倍率が必ずしも効率的に行われていなかった。通常、正の屈折力（パワー）の撮像光学系において、撮影倍率を上げるには、光学系の後側主点位置と像点の間隔を広げる必要がある。
【００３７】
本発明のズームレンズでは、第２領域において、光学系中の最も強い正の屈折力のレンズ群Ｌｐを移動して、少ない移動量で効率良く撮影倍率を上げている。
【００３８】
次に、より具体的に本発明のズームレンズ構成を説明する。光学系中の最も強い正の屈折力のレンズ群Ｌｐより像側に、負の屈折力のレンズ群Ｌｎ、正の屈折力のレンズ群Ｌｐ２の順に配列された部分系を含む複数のレンズ群を有し、第１領域では、これらのうち２つ以上のレンズ群を移動させることでズーミングを行う。
【００３９】
第２領域では少なくとも前記正レンズ群Ｌｐが物体側に移動することで、マクロ駆動を行う。この時、第１領域の広角端に対して第２領域のマクロ端では、前記レンズ群Ｌｐと前記レンズ群Ｌｎの間隔が広く、前記レンズ群Ｌｎと前記レンズ群Ｌｐ２の間隔が狭くなるようにマクロ駆動を行う。
【００４０】
第１領域で最も撮影倍率を大きくできる望遠端の近距離物体（有限距離）の合焦状態から、第２領域へのフォーカシングに際しては、正レンズ群Ｌｐを含む２以上のレンズ群を物体側にマクロ駆動する。さらに、フォーカシングレンズ群を至近距離にフォーカスするように移動する。これにより至近距離物体へのフォーカスを容易にしている。
【００４１】
通常、第１領域の望遠端において近距離物体に合焦している状態から、フォーカシングレンズ群を更に近距離側へ移動させると、近軸計算上はある程度の高い撮影倍率が得られるが、実際は球面収差がオーバー側へ著しく発生してしまう。
【００４２】
そこで、第２領域では正レンズ群Ｌｐを物体側にマクロ駆動することで、球面収差をアンダー側へ発生させつつ、全系の主点位置を物体側に移動させ、至近距離物体へのフォーカシングを可能にしている。また、第１領域の広角端に対して、第２領域のマクロ端において、レンズ群Ｌｐとレンズ群Ｌｎの間隔が広がり、レンズ群Ｌｎとレンズ群Ｌｐ２の間隔が狭くなるように各レンズ群を移動させることで、全系の主点位置を像側から物体側へ移動させることができる。
【００４３】
これにより、レンズ群Ｌｐの移動量を増やすことなく、第１領域の広画角化及び高ズーム比化を図り、かつ第２領域の高撮影倍率を達成することができる。ここで、本発明のズームレンズを別の側面から説明する。ズームレンズは通常、広角端または望遠端で、レンズ群の間隔を短縮することで全系の小型化を図っている。そのとき、フォーカスレンズ群は、多くの場合、望遠端の無限遠物体の合焦状態と、広角端の近距離物体の合焦状態で、それぞれ前後のレンズ群との間隔が詰まった状態になる。
【００４４】
そのため、ズーム領域の全域で無限遠物体から近距離物体まで合焦を行うことを前提とした場合、更に至近距離側に合焦範囲を広げようとすると、前後のレンズ群の移動量を圧迫して全系が大型化してしまう。
【００４５】
そこで、本発明では第２領域において、第１領域の望遠端の無限遠物体側におけるフォーカスレンズ群の駆動領域を制限しているとも言い換えられる。例えば図１（ｃ）のマクロ端においては、第２レンズ群Ｌ２がフォーカシングで最至近距離物体にフォーカシングした状態の断面図となっている。このとき、無限遠物体側に第２レンズ群Ｌ２を移動した場合、無限遠物体にフォーカスする前に、第３レンズ群Ｌ３に干渉する関係となっている。
【００４６】
これは、例えば数値実施例１における第２領域では間隔ｄ１２が負の値になっていることにも関連する（数値実施例は、便宜上、無限遠合焦時の各群の位置を表している）。即ち、フォーカシング用の第２レンズ群Ｌ２の無限遠物体側への移動を制限し、隣接するレンズ群（第３レンズ群Ｌ３）の物体側への移動に充てたことで、合焦位置（フォーカス位置）をより至近距離に移動しながら球面収差をアンダー側に変化させている。
【００４７】
このため、フォーカシング用の第２レンズ群Ｌ２も通常の望遠端の近距離物体の合焦位置よりも更に至近距離側に駆動させることができ、著しい球面収差の劣化もなく、至近距離物体へのフォーカスを容易にしている。
【００４８】
次に、本発明を実施するにあたり、より好ましい条件について説明する。各実施例においては、次の諸条件のうち１以上を満足するのが良い。レンズ群Ｌｐとレンズ群Ｌｐ２の焦点距離を各々ＦＬＰ、ＦＬｐ２とする。レンズ群Ｌｎの焦点距離をＦＬｎとする。第２領域の最至近距離端（以下「マクロ端」ともいう。）において、レンズ群Ｌｐの物体側のレンズ面頂点から、部分系ＬＲの前側主点位置までの距離（物体側から像側へ測ったときを正とする）をｏ１ＬＰとする。
【００４９】
第２領域のマクロ端においてレンズ群Ｌｐの物体側のレンズ面頂点から、レンズ群Ｌｐ２の像側のレンズ面頂点までの長さをＢｌｄＬＰとする。第１領域の望遠端から第２領域のマクロ端までのレンズ群Ｌｐの移動量（物体側から像側へ測ったときを正とする）をｍＬｐとする。広角端におけるレンズ全長をＴＬＤｗ、第２領域において、最至近距離の物体にフォーカスしたときの撮影倍率をβｍとする。このとき、以下の条件式のうち１以上を満足するのが良い。
【００５０】
０．０５＜ＦＬｐ／ＦＬｐ２＜０．６０              ・・・（１）
０．２０＜−ＦＬｐ／｜ＦＬｎ｜＜０．９０          ・・・（２）
−０．３０＜ｏ１ＬＰ／ＢｌｄＬＰ＜０．４０    ・・・（３）
０．０１＜ｍＬｐ／ＴＬＤｗ／βｍ＜０．４０    ・・・（４）
各実施例においては、全系で最も強い正の屈折力のレンズ群Ｌｐに対し、レンズ群Ｌｐ２の屈折力をある程度小さくすることで、レンズ群Ｌｐ以降の部分系（合成レンズ群）ＬＲの正の主点位置をより物体側にしている。これにより、レンズ群Ｌｐ以降のレンズ群の移動量を大きくし過ぎることなく、効率的に高撮影倍率化を達成している。具体的には、条件式（１）を満たすようにしている。
【００５１】
条件式（１）の上限値を逸脱すると、レンズ群Ｌｐから像側の部分系ＬＲの主点位置が、像側に近くなり、効率的なマクロ化が困難になってしまう。条件式（１）の下限値を逸脱すると、レンズ群Ｌｐから像側の部分系ＬＲの主点位置が、物体側に移動し過ぎるため、広画角に好ましいパワー配置をとることが困難になってしまう。条件式（１）は、より好ましくは条件式（１ａ）を満たすと良い。
【００５２】
０．１０＜ＦＬｐ／ＦＬｐ２＜０．４０              ・・・（１ａ）
条件式（２）はレンズ群Ｌｐより像側の部分系ＬＲにおいて、より効果的に高い撮影倍率を達成するためのものである。条件式（２）の上限値を逸脱すると、レンズ群Ｌｎのパワーが強過ぎて、収差補正が困難になる。また下限値を逸脱すると、レンズ群Ｌｎのパワーが弱過ぎて、効率良く全系の主点位置を物体側に移動するのが困難になる。条件式（２）は、より好ましくは条件式（２ａ）を満たすと良い。
【００５３】
０．３０＜−ＦＬｐ／｜ＦＬｎ｜＜０．８０              ・・・（２ａ）
条件式（３）はレンズ群Ｌｐの像側の部分系ＬＲにおいて、より効果的に高い撮影倍率を達成するためのものである。条件式（３）を満たすことで、レンズ群Ｌｐ以降の部分系ＬＲの主点位置が、ある程度像側に配置され、レンズ群Ｌｐ以降の部分系ＬＲの移動量を大きくし過ぎることなく、高い撮影倍率を達成できる。条件式（３）の上限値を逸脱すると、レンズ群Ｌｐ以降の部分系ＬＲの主点位置が像面に近くなるため、高い撮影倍率を達成するためには、レンズ群Ｌｐ以降の部分系ＬＲの移動量が大きくなってしまう。
【００５４】
条件式（３）の下限値を逸脱すると、レンズ群Ｌｐ以降の部分系ＬＲの主点位置が物体側になる。第２領域における最至近距離に合焦したときにおいては撮影倍率を上げられて好ましいが、第１領域の広角端において主点位置を像側にすることが困難になり、広角端に好ましいパワー配置を取れなくなってしまう。条件式（３）は、より好ましくは（３ａ）を満たすと良い。
【００５５】
−０．２０  ＜  ｏ１ＬＰ／ＢｌｄＬＰ  ＜  ０．２５  ・・・（３ａ）
条件式（４）はズームレンズ全体を極力簡易な構成にするための、レンズ群Ｌｐの移動量とレンズ全長に関する。条件式（４）の上限値を逸脱すると、最短レンズ全長に対し、レンズ群Ｌｐのフォーカシング時の繰り出し量が大きくなり、駆動機構が複雑化してくる。条件式（４）の下限値を逸脱すると、最至近端での撮影倍率に比べて、レンズ群Ｌｐの繰り出し量が小さくなり過ぎて、最至近端での光学性能が劣化してしまう。条件式（４）は、より好ましくは条件式（４ａ）を満たすと良い。
【００５６】
０．０１５＜ｍＬｐ／ＴＬＤｗ／βｍ＜０．３００      ・・・（４ａ）
次に各実施例において、好ましいレンズ構成について説明する。
【００５７】
各実施例におけるズームレンズは、物体側より像側へ順に、正の屈折力の第１レンズ群、負の屈折力の第２レンズ群を有し、第１領域において、広角端から望遠端へのズーミングに際し、第１レンズ群と第２レンズ群の間隔が広がるのが良い。そして第２領域における低倍率側からマクロ端へのマクロ駆動に際し、第１レンズ群を像側へ移動させるのが良い。
【００５８】
第１領域を高変倍にするためには、物体側より像側へ順に、正の屈折力の第１レンズ群Ｌ１、負の屈折力の第２レンズ群Ｌ２を有するポジティブリード型のズームレンズであることが好ましい。このとき、第２領域の低倍率側からマクロ端へのマクロ駆動に際し、後側主点位置を物体側へ移動させるためには、第１レンズ群Ｌ１を物体側へ移動させることが好ましい。しかしながら、レンズ群Ｌｐから大きく物体側に離れる第１レンズ群Ｌ１では、その効果自体はそれ程大きくない。
【００５９】
そのため、敢えて第１レンズ群Ｌ１を像側へ移動させることで、全系の前側主点位置と第１レンズ群の距離を縮め、ワーキングディスタンス（物体から第１レンズ面までの距離）の確保に充てても良い。その場合、第１領域の広角端に対する第１レンズ群Ｌ１の移動量が抑えられるため、全系の小型化の観点からも好ましい。
【００６０】
次に、第１領域の広角化を狙った場合は、最も物体側に負の屈折力の第１レンズ群が配置されるネガティブリード型が好ましい。そして第１領域においては、負の屈折力が最も強いレンズ群がフォーカシングに際して移動するフォーカスレンズ群であることが良い。第１領域の広画角化を狙った場合は、どちらのレンズタイプであっても、第１領域におけるフォーカスレンズ群は、全系で最も強い負のパワーを有するレンズ群であると、その移動量が抑えられるため、好ましい。
【００６１】
また各実施例において、第１領域の望遠端において無限遠物体にフォーカスするときのフォーカスレンズ群の光軸方向の位置と、像側に隣接するレンズ群の光軸方向の位置が、第２領域の一部において、光軸方向でオーバーラップすることが良い。これにより、全系を大型化することなく、スペースを有効活用してより至近距離物体側に合焦できるため、好ましい。レンズ群Ｌｐとレンズ群Ｌｐ２はズーミングに際して、一体で移動することが良い。また、レンズ群Ｌｐとレンズ群Ｌｐ２を一体で駆動すると、駆動機構が簡易化できて、好ましい。
【００６２】
ここで、各実施例におけるレンズ群とは、ズームレンズの場合、光学系の最前面または、前方に隣接するレンズとの間隔がズーミングで変化する面から、光学系の最後面または、後方に隣接するレンズとの間隔がズーミングで変化する面までを言う。
【００６３】
以下、各実施例のレンズ構成について説明する。実施例１は、物体側より像側へ順に、正の屈折力の第１レンズ群Ｌ１、負の屈折力の第２レンズ群Ｌ２、正の屈折力の第３レンズ群Ｌ３、負の屈折力の第４レンズ群Ｌ４、正の屈折力の第５レンズ群Ｌ５を有する。更に負の屈折力の第６レンズ群Ｌ６、正の屈折力の第７レンズ群Ｌ７で構成される７群ズームレンズである。
【００６４】
第５レンズ群Ｌ５は正の屈折力が最も強いレンズ群Ｌｐに対応する。第６、第７レンズ群Ｌ６、Ｌ７はレンズ群Ｌｎ、Ｌｐ２に対応する。第１領域はズーム比２．８のズーム領域であり、矢印の如く図１（ａ）の広角端から図１（ｂ）の望遠端へのズーミングに際し、第５レンズ群Ｌ５は物体側に移動している。
【００６５】
広角端に比べ望遠端において、第１レンズ群Ｌ１と第２レンズ群Ｌ２の間隔を広げ、第２レンズ群Ｌ２と第３レンズ群Ｌ３の間隔を狭め、第５レンズ群Ｌ５と第６レンズ群Ｌ６の間隔を広げている。そして第６レンズ群Ｌ６と第７レンズ群Ｌ７の間隔を狭めるように各レンズ群が移動する。第２レンズ群Ｌ２を物体側に移動することで、無限遠物体から近距離物体へのフォーカシングを行っている。
【００６６】
これにより、全系の後側主点位置を物体側へ移動させて、変倍効果を得ている。ここで第１領域では、ズーミングに際して第３レンズ群Ｌ３と第４レンズ群Ｌ４の間隔及び第４レンズ群Ｌ４と第５レンズ群Ｌ５の間隔は必ずしも変化させなくても良い。第２領域では、第１領域に比べて、より短い距離（至近距離）の物体にフォーカスが可能である。第１領域の最大撮影倍率が０．１７倍であるのに対し、第２領域でのマクロ端における撮影倍率が０．７倍である。
【００６７】
第２領域におけるマクロ端では、第１領域の望遠端に対し、第５レンズ群Ｌ５が物体側に移動している。また、第１レンズ群Ｌ１と第２レンズ群Ｌ２の間隔を狭め、第２レンズ群Ｌ２と第３レンズ群Ｌ３の間隔を広げ、第３レンズ群Ｌ３と第４レンズ群Ｌ４の間隔を狭め、第４レンズ群Ｌ４と第５レンズ群Ｌ５の間隔を広げるように各レンズ群が移動して設定されている。それにより、効果的に全系の後側主点位置を物体側に移動し、高い撮影倍率を得ている。
【００６８】
ここで、第２領域では、マクロ駆動に際して第５レンズ群Ｌ５と第６レンズ群Ｌ６、第６レンズ群Ｌ６と第７レンズ群Ｌ７の間隔は必ずしも変化させなくても良い。また、第５レンズ群Ｌ５、第７レンズ群Ｌ７は、条件式（１）、（３）を満たしている。第２領域において第５レンズ群Ｌ５から第７レンズ群Ｌ７の部分系ＬＲの主点位置を効果的に物体側に移動しており、高い撮影倍率を得ている。
【００６９】
また、第５レンズ群Ｌ５と第６レンズ群Ｌ６は、条件式（２）を満たしており、第１領域の広角端から第２領域のマクロ端にかけて、全系の後側主点位置を物体側に移動させている。また、第１領域の望遠端から第２領域のマクロ端にマクロ駆動するのに際し、第５レンズ群Ｌ５の移動量は条件式（４）を満たしており、これにより全系の小型化と高倍率化を両立させることができる。
【００７０】
また、第１領域の望遠端から第２領域のマクロ端へのマクロ駆動に際し、第１レンズ群Ｌ１が像側に移動しており、これによりマクロ端において効果的にワーキングディスタンスを確保することができる。
【００７１】
図１（ｂ）は、望遠端において第１領域の有限距離の物体にフォーカスしている状態を示す。図１（ｂ）で第２レンズ群Ｌ２が物体側に位置している状態からマクロ駆動機構により第２領域の最至近距離の物体（図１（ｃ）に相当）へ連続してフォーカシングを行うことができる。また、第２領域の最至近距離の物体にフォーカスしている状態（図１（ｃ））から第１領域の有限距離の物体にフォーカスするときのマクロ駆動機構による動作はこの逆となる。
【００７２】
また、マクロ駆動機構の動作を停止し、フォーカシング駆動機構を動作させて第２レンズ群（フォーカシングレンズ群）Ｌ２を移動させてフォーカス調整を行っても良い。またオートフォーカス機構（ＡＦ機構）によりオートフォーカスを行っても良い。このような動作は他の実施例２、３、５、６においても同様に適用できる。
【００７３】
実施例２は、物体側より像側へ順に、正の屈折力の第１レンズ群Ｌ１、負の屈折力の第２レンズ群Ｌ２、正の屈折力の第３レンズ群Ｌ３、正の屈折力の第４レンズ群Ｌ４、負の屈折力の第５レンズ群Ｌ５を有する。更に正の屈折力の第６レンズ群Ｌ６で構成される６群ズームレンズである。第３レンズ群Ｌ３は正の屈折力が最も強いレンズ群Ｌｐに対応する。第５、第６レンズ群Ｌ５、Ｌ６はレンズ群Ｌｎ、Ｌｐ２に対応する。
【００７４】
第１領域はズーム比２．８のズーム領域であり、広角端から望遠端へのズーミングに際して、第３レンズ群Ｌ３は物体側に移動する。広角端に比べて望遠端において第１レンズ群Ｌ１と第２レンズ群Ｌ２の間隔が広がり、第２レンズ群Ｌ２と第３レンズ群Ｌ３の間隔が狭くなり、第４レンズ群Ｌ４と第５レンズ群Ｌ５の間隔が広がる。そして第５レンズ群Ｌ５と第６レンズ群Ｌ６の間隔が狭くなるように各レンズ群が移動する。第２レンズ群Ｌ２を物体側に移動させることで、無限遠物体から近距離物体へのフォーカシングが行われる。
【００７５】
これにより、効果的に全系の後側主点位置を物体側に移動させて、変倍効果を得ている。第１領域では、第３レンズ群Ｌ３と第４レンズ群Ｌ４の間隔は必ずしも変化させなくても良い。第２領域では、第１領域に比べて、より短い距離の物体にフォーカスが可能である。第１領域の最大撮影倍率が０．１４倍であるのに対し、第２領域のマクロ端においては撮影倍率が０．６倍である。
【００７６】
第２領域におけるマクロ端では、第１領域の望遠端に対し、第３レンズ群Ｌ３が物体側に移動している。また、第１レンズ群Ｌ１と第２レンズ群Ｌ２の間隔を狭め、第２レンズ群Ｌ２と第３レンズ群Ｌ３の間隔を広げ、第３レンズ群Ｌ３と第４レンズ群Ｌ４の間隔を狭めている。
【００７７】
ここで、第２領域では、第４レンズ群Ｌ４と第５レンズ群Ｌ５、第５レンズ群Ｌ５と第６レンズ群Ｌ６の間隔は必ずしも変化させなくても良い。また、第３レンズ群Ｌ３、第６レンズ群Ｌ６は、条件式（１）、（３）を満たしている。第２領域において第３レンズ群Ｌ３から第６レンズ群Ｌ６の合成群の主点位置を物体側に移動させており、高い撮影倍率化を得ている。
【００７８】
また、第３レンズ群Ｌ３、第５レンズ群Ｌ５は、条件式（２）を満たしており、第１領域の広角端で、全系の後側主点位置を像側に、第２領域のマクロ端において、全系の後側主点位置を物体側に移動している。また、第１領域の望遠端から、第２領域のマクロ端にマクロ駆動するのに際し、第３レンズ群Ｌ３の移動量は条件式（４）を満たしており、これにより全系の小型化と高撮影倍率化を図っている。
【００７９】
また、実施例２においては、第１領域の望遠端から、第２領域のマクロ端にマクロ駆動するのに際し、第１レンズ群Ｌ１が殆ど移動しておらず、ワーキングディスタンスが小さくはなるが、その替わりにより高撮影倍率化することが容易になる。
【００８０】
実施例３は、物体側より像側へ順に、正の屈折力の第１レンズ群Ｌ１、負の屈折力の第２レンズ群Ｌ２、正の屈折力の第３レンズ群Ｌ３、負の屈折力の第４レンズ群Ｌ４、正の屈折力の第５レンズ群Ｌ５を有する。更に負の屈折力の第６レンズ群Ｌ６、正の屈折力の第７レンズ群Ｌ７で構成される７群ズームレンズである。第５レンズ群Ｌ５は正の屈折力が最も強いレンズ群Ｌｐに対応する。第６、第７レンズ群Ｌ６、Ｌ７はレンズ群Ｌｎ、Ｌｐ２に対応する。
【００８１】
第１領域はズーム比３．５の全ズーム領域であり、広角端から望遠端へのズーミングに際し、第５レンズ群Ｌ５は物体側に移動している。広角端に比べ望遠端において、第１レンズ群Ｌ１と第２レンズ群Ｌ２の間隔を広げ、第２レンズ群Ｌ２と第３レンズ群Ｌ３の間隔を狭め、第５レンズ群Ｌ５と第６レンズ群Ｌ６の間隔を広げている。そして第６レンズ群Ｌ６と第７レンズ群Ｌ７の間隔を狭めるように各レンズ群が移動する。第２レンズ群Ｌ２を物体側に移動することで、無限遠物体から近距離物体へのフォーカシングを行っている。それにより、効果的に全系の後側主点位置を物体側に移動し、変倍効果を得ている。
【００８２】
ここで第１領域では、第３レンズ群Ｌ３と第４レンズ群Ｌ４、第４レンズ群Ｌ４と第５レンズ群Ｌ５の間隔は必ずしも変化させなくても良い。
【００８３】
次に第２領域では、第１領域における合焦可能領域に比べて、より短い距離の物体にフォーカス可能である。第１領域の最大撮影倍率が０．１７倍であるのに対し、第２領域の最至近端においては撮影倍率が０．６倍である。
【００８４】
第２領域のマクロ端では、第１領域の望遠端に対し、第５レンズ群Ｌ５が物体側に移動している。また第１レンズ群Ｌ１と第２レンズ群Ｌ２の間隔を狭め、第２レンズ群Ｌ２と第３レンズ群Ｌ３の間隔を広げ、第３レンズ群Ｌ３と第４レンズ群Ｌ４の間隔を狭め、第４レンズ群Ｌ４と第５レンズ群Ｌ５の間隔を広げている。各レンズ群の働きは、実施例１と同様である。
【００８５】
実施例４は６群ズームレンズである。物体側より像側へ順に、負の屈折力の第１レンズ群Ｌ１、正の屈折力の第２レンズ群Ｌ２、負の屈折力の第３レンズ群Ｌ３、正の屈折力の第４レンズ群Ｌ４、負の屈折力の第５レンズ群Ｌ５、正の屈折力の第６レンズ群Ｌ６で構成されている。第４レンズ群Ｌ４は正の屈折力が最も強いレンズ群Ｌｐに対応する。第５、第６レンズ群Ｌ５、Ｌ６はレンズ群Ｌｎ、Ｌｐ２に対応する。
【００８６】
第１領域はズーム比２．８の全ズーム領域であり、広角端から望遠端へのズーミングに際し、第４レンズ群Ｌ４が物体側に移動している。広角端に比べ望遠端において第１レンズ群Ｌ１と第２レンズ群Ｌ２の間隔を狭め、第４レンズ群Ｌ４と第５レンズ群Ｌ５の間隔を広げている。更に第５レンズ群Ｌ５と第６レンズ群Ｌ６の間隔が狭まるように各レンズ群を移動する。第１レンズ群Ｌ１を物体側に移動することで、無限遠物体から近距離物体へのフォーカシングを行っている。それにより、効果的に全系の後側主点位置を物体側に移動し、変倍効果を得ている。
【００８７】
ここで第１領域では、第２レンズ群Ｌ２と第３レンズ群Ｌ３、第３レンズ群Ｌ３と第４レンズ群Ｌ４の間隔は必ずしも変化させなくても良い。
【００８８】
次に第２領域では、第１領域における合焦可能領域に比べて、より短い距離の物体にフォーカス可能である。第１領域の最大撮影倍率が０．１７倍であるのに対し、第２領域の最至近端においては撮影倍率が０．６倍である。
【００８９】
第２領域のマクロ端では、第１領域の望遠端に対し、第４レンズ群Ｌ４が物体側に移動しており、また第２レンズ群Ｌ２と第３レンズ群Ｌ３の間隔を狭め、第３レンズ群Ｌ３と第４レンズ群Ｌ４の間隔を広げている。ここで第２領域では、第４レンズ群Ｌ４と第５レンズ群Ｌ５、第５レンズ群Ｌ５と第６レンズ群Ｌ６の間隔は必ずしも変化させなくても良い。
【００９０】
また、第４レンズ群Ｌ４、第６レンズ群Ｌ６は、条件式（１）、（３）を満たしており、第２領域において第４レンズ群Ｌ４から第６レンズ群Ｌ６の合成群の主点位置を効果的に物体側に移動しており、高撮影倍率化を達成している。また、第４レンズ群Ｌ４、第５レンズ群Ｌ５は、条件式（２）を満たしており、第１領域の広角端で、効果的に全系の後側主点位置を像側に、第２領域のマクロ端において、効果的に全系の後側主点位置を物体側に移動している。
【００９１】
また、第１領域の望遠端から、第２領域のマクロ端にマクロ駆動するのに際し、第４レンズ群Ｌ４の移動量は条件式（４）を満たしており、これにより全系の小型化と高撮影倍率化を図っている。
【００９２】
図７（ｂ）は望遠端において第１領域の有限距離の物体にフォーカスしている状態を示す。図７（ｂ）で第１レンズ群Ｌ１が物体側に位置している状態からマクロ駆動機構により第２領域の最至近距離の物体（図７（ｃ）に相当）への連続してフォーカシングを行うことができる。また第２領域の最至近距離の物体にフォーカスしている状態（図７（ｃ））から第一領域の有限距離の物体にフォーカスするときのマクロ駆動機構による動作はこの逆となる。
【００９３】
またマクロ駆動機構の動作を停止し、フォーカシング駆動機構を動作させて第１レンズ群（フォーカシングレンズ群）Ｌ１を移動させてフォーカス調整を行っても良い。
【００９４】
実施例５は、物体側より像側へ順に、正の屈折力の第１レンズ群Ｌ１、負の屈折力の第２レンズ群Ｌ２、正の屈折力の第３レンズ群Ｌ３、負の屈折力の第４レンズ群Ｌ４、正の屈折力の第５レンズ群Ｌ５を有する。更に負の屈折力の第６レンズ群Ｌ６、正の屈折力の第７レンズ群Ｌ７で構成される７群ズームレンズである。第５レンズ群Ｌ５は正の屈折力が最も強いレンズ群Ｌｐに対応する。第６、第７レンズ群Ｌ６、Ｌ７はレンズ群Ｌｎ、Ｌｐ２に対応する。
【００９５】
第１領域はズーム比２．８の全ズーム領域であり、広角端から望遠端へのズーミングに際し、第５レンズ群Ｌ５は物体側に移動している。広角端に比べ望遠端において第１レンズ群Ｌ１と第２レンズ群Ｌ２の間隔を広げ、第２レンズ群Ｌ２と第３レンズ群Ｌ３の間隔を狭め、第５レンズ群Ｌ５と第６レンズ群Ｌ６の間隔を広げている。更に第６レンズ群Ｌ６と第７レンズ群Ｌ７の間隔を狭めるように各レンズ群が移動する。第２レンズ群Ｌ２を物体側に移動することで、無限遠物体から近距離物体へのフォーカシングを行っている。
【００９６】
以上により、効果的に全系の後側主点位置を物体側に移動し、変倍効果を得ている。また実施例５では、フォーカス用の第４レンズ群が最も強い負のパワーのレンズ群ではないため、フォーカス移動量が増える。しかしながら、最も強い負のパワーの第２レンズ群Ｌ２をフォーカスレンズ群としないことで、広角端において第１レンズ群Ｌ１との間隔を狭められ、第１レンズ群Ｌ１の有効径を小さくすることができる。ここで第１領域では、ズーミングに際して第３レンズ群Ｌ３と第４レンズ群Ｌ４、第４レンズ群Ｌ４と第５レンズ群Ｌ５の間隔は、必ずしも変化させなくても良い。
【００９７】
次に第２領域では、第１領域における合焦可能領域に比べて、より短い距離の物体にフォーカスが可能である。第１領域の最大撮影倍率が０．１８倍であるのに対し、第２領域のマクロ端においては撮影倍率が０．８倍である。
【００９８】
第２領域のマクロ端では、第１領域の望遠端に対し、第５レンズ群Ｌ５が物体側に移動しており、また第１レンズ群Ｌ１と第２レンズ群Ｌ２の間隔を狭めている。そして第２レンズ群Ｌ２と第３レンズ群Ｌ３の間隔を広げ、第３レンズ群Ｌ３と第４レンズ群Ｌ４の間隔を狭め、第４レンズ群Ｌ４と第５レンズ群Ｌ５の間隔を広げるように各レンズ群が移動している。それにより、効果的に全系の後側主点位置を物体側に移動し、高撮影倍率化を容易にしている。
【００９９】
ここで第２領域では、第５レンズ群Ｌ５と第６レンズ群Ｌ６、第６レンズ群Ｌ６と第７レンズ群Ｌ７の間隔は必ずしも変化させなくても良い。また、第５レンズ群Ｌ５、第７レンズ群Ｌ７は、条件式（１）、（３）を満たしている。第２領域において第５レンズ群Ｌ５から第７レンズ群Ｌ７の合成レンズ群の主点位置を効果的に物体側に移動しており、高撮影倍率化を容易にしている。
【０１００】
また、第５レンズ群Ｌ５、第６レンズ群Ｌ６は、条件式（２）を満たしており、第１領域の広角端で、効果的に全系の後側主点位置を像側に、第２領域のマクロ端において、効果的に全系の後側主点位置を物体側に移動している。また、第１領域の望遠端から、第２領域のマクロ端にマクロ駆動するのに際し、第５レンズ群Ｌ５の移動量は条件式（４）を満たしており、これにより全系の小型化と高撮影倍率化を図っている。
【０１０１】
また、第１領域の望遠端から、第２領域のマクロ端にマクロ駆動するのに際し、第１レンズ群Ｌ１が像側に移動しており、それにより最至近端において効果的にワーキングディスタンスを確保している。
【０１０２】
図９（ｂ）は望遠端において第１領域の有限距離の物体にフォーカスしている状態を示す。図９（ｂ）で第２レンズ群Ｌ２が物体側に位置している状態からマクロ駆動機構により第２領域の最至近距離の物体（図９（ｃ）に相当）への連続してフォーカシングを行うことができる。また第２領域の最至近距離の物体にフォーカスしている状態（図９（ｃ））から第一領域の有限距離の物体にフォーカスするときのマクロ駆動機構による動作はこの逆となる。
【０１０３】
またマクロ駆動機構の動作を停止し、フォーカシング駆動機構を動作させて第２レンズ群（フォーカシングレンズ群）Ｌ２を移動させてフォーカス調整を行っても良い。
【０１０４】
実施例６は、物体側より像側へ順に、正の屈折力の第１レンズ群Ｌ１、負の屈折力の第２レンズ群Ｌ２、正の屈折力の第３レンズ群Ｌ３、負の屈折力の第４レンズ群Ｌ４、正の屈折力の第５レンズ群Ｌ５で構成される５群ズームレンズである。第３レンズ群Ｌ３は正の屈折力が最も強いレンズ群Ｌｐに対応する。第４、第５レンズ群Ｌ４、Ｌ５はレンズ群Ｌｎ、Ｌｐ２に対応する。
【０１０５】
第１領域はズーム比２．８の全ズーム領域であり、広角端から望遠端へのズーミングに際し、第３レンズ群Ｌ３が物体側に移動している。広角端に比べ望遠端において第１レンズ群Ｌ１と第２レンズ群Ｌ２の間隔を広げ、第２レンズ群Ｌ２と第３レンズ群Ｌ３の間隔を狭め、第３レンズ群Ｌ３と第４レンズ群Ｌ４の間隔を広げている。そして第４レンズ群Ｌ４と第５レンズ群Ｌ５の間隔を狭めるように各レンズ群が移動する。第２レンズ群Ｌ２を物体側に移動することで、無限遠物体から近距離物体へのフォーカシングを行っている。それにより、効果的に全系の後側主点位置を物体側に移動し、変倍効果を得ている。
【０１０６】
次に第２領域では、第１領域における合焦可能領域に比べて、より短い距離の物体にフォーカスが可能である。第１領域の最大撮影倍率が０．１５倍であるのに対し、第２領域の最至近端においては撮影倍率が０．６倍である。第２領域のマクロ端では、第１領域の望遠端に対し、第３レンズ群Ｌ３が物体側に移動しており、また第１レンズ群Ｌ１と第２レンズ群Ｌ２の間隔を狭め、第２レンズ群Ｌ２と第３レンズ群Ｌ３の間隔を広げている。
【０１０７】
ここで第２領域では、第３レンズ群Ｌ３と第４レンズ群Ｌ４、第４レンズ群Ｌ４と第５レンズ群Ｌ５の間隔は必ずしも変化させなくても良い。また、第３レンズ群Ｌ３、第５レンズ群Ｌ５は、条件式（１）、（３）を満たしている。第２領域において第３レンズ群Ｌ３から第５レンズ群Ｌ５の合成レンズ群の主点位置を効果的に物体側に移動しており、高撮影倍率化を容易にしている。
【０１０８】
また、第３レンズ群Ｌ３、第４レンズ群Ｌ４は、条件式（２）を満たしており、第１領域の広角端で、効果的に全系の後側主点位置を像側に、第２領域のマクロ端において、効果的に全系の後側主点位置を物体側に移動している。また、第１領域の望遠端から、第２領域のマクロ端にマクロ駆動するのに際し、第３レンズ群Ｌ３の移動量は条件式（４）を満たしており、これにより全系の小型化と高撮影倍率化を図っている。
【０１０９】
また、第１領域の望遠端から、第２領域のマクロ端に際し、第１レンズ群Ｌ１が像側に移動しており、それにより最至近端において効果的にワーキングディスタンスを確保している。第２領域において、数値実施例１、４、５では至近と中間とマクロ（再至近距離）、実施例６では最至近において間隔ｄの値がマイナスとなっているのは、数値実施例は便宜上、無限合焦状態を表しているためである。
【０１１０】
よって、数値実施例1、4、5の第２領域では、無限合焦が物理的に不能であることを意味している。それは即ち、フォーカシングレンズ群の無限側への移動を制限して、後続の正群を物体側に移動させたことを意味する。
後続の正群が物体側に移動したことにより、合焦位置が近接側にシフトすると共に、球面収差をアンダー側に発生させた。それにより、フォーカシングレンズ群を近接側に駆動させた際、オーバー側の球面収差と相殺し、第１領域に対し、より近接合焦しているにも関わらず、良好な性能を得ている。
【０１１１】
実際にはフォーカスレンズ群は無限遠物体の合焦位置になく、それよりも物体側に移動した位置にくる。このため、フォーカスレンズ群の像側のレンズ群はフォーカスレンズ群が移動した空間に位置するため、フォーカスレンズ群が位置すべき位置とオーバーラップするようになる。この結果、間隔ｄの符号がオーバーラップした量だけマイナスとなっている。
【０１１２】
次に本発明の実施例１〜６に対応する数値実施例１〜６を示す。数値実施例においてｉは物体側からの面の順番を示す。ｒｉは第ｉ番目の面の曲率半径、ｄｉは第ｉ番目と第ｉ＋１番目の面の間隔である。ｎｄｉとνｄｉは各々レンズの材料の屈折率とアッベ数のｄ線（λ＝５８７．６ｎｍ）に対する値である。有効径が可変となっている面ｉについてはｅａｉとして各ズーム位置において有効径を示している。
【０１１３】
レンズ全長は第１レンズ面から像面までの長さである。ＢＦはバックフォーカスであり最終面から像面までの長さである。また、Ｋ、Ａ４、Ａ６、Ａ８、Ａ１０、Ａ１２は非球面係数であり、非球面の形状は、レンズ面と光軸との交点を原点、光の進行方向を正としたとき、光軸方向の位置Ｘ、光軸と垂直方向の位置Ｈより以下の式で表される。
【０１１４】
【数１】
2014016465.tif 000003
【０１１５】
但し、Ｒは近軸曲率半径である。また、「ｅ−０Ｘ」は「×１０−ｘ」を意味している。ｆは焦点距離、ＦｎｏはＦナンバー、ωは半画角を示す。また、各光学面の間隔dが（可変）となっている部分は、第１領域でのズーミングに際して変化するもの、または第２領域の至近物体の合焦に際して変化するものであり、別表に焦点距離に応じた面間隔を記している。又表１に前述の条件式と数値実施例との関係を示す。
【０１１６】
（数値実施例１）
単位 mm
面データ
面番号       r        d      nd         νd       有効径
1        244.270    2.00   1.84666    23.8       64.01
2         77.817    6.51   1.77250    49.6       60.60
3        520.807    0.15                         59.92
4         54.708    5.10   1.83481    42.7       54.21
5        102.370  (可変)                         52.93
6*       106.449    1.80   1.80400    46.6       34.29
7         14.914    8.77                         24.39
8        -37.374    1.30   1.77250    49.6       23.98
9         29.028    0.15                         23.30
10         27.566    5.50   1.80518    25.4       23.47
11        -79.270  (可変)                         23.25
12         33.816    3.47   1.62588    35.7       18.39
13        -61.868  (可変)                         18.48
14        -31.637    1.00   1.84666    23.8       18.08
15      -1969.479  (可変)                         18.59
16(絞り)    ∞       2.00                         (可変)
17         41.800    5.33   1.59282    68.6       20.52
18        -37.861    0.15                         20.66
19         50.346    5.96   1.49700    81.5       20.00
20        -20.733    1.00   1.90366    31.3       19.21
21        -50.842  (可変)                         19.19
22       -616.897    0.90   1.80100    35.0       15.94
23         20.095    2.57   1.84666    23.8       15.87
24         47.987  (可変)                         15.88
25        267.996    2.77   1.85400    40.4       20.92
26*      -105.715                                 21.61
非球面データ
第6面
K = 0.00000e+000  A 4= 7.48366e-006  A 6=-9.07746e-009  A 8=-6.82116e-013  A10= 1.96862e-014  A12=-2.37851e-017  
第26面
K = 0.00000e+000  A 4= 1.23491e-005  A 6=-4.96603e-009  A 8= 2.44298e-010  A10=-7.85907e-013  
各種データ
ズーム比      2.84 
第１領域              第２領域
広角      中間    望遠      至近    最至近
焦点距離      24.30    35.10    69.00    67.23    60.62  
Fナンバー      4.10     4.10     4.10     5.28     5.56  
半画角（度）  41.68    31.65    17.41    17.84    19.64  
像高          21.64    21.64    21.64    21.64    21.64  
レンズ全長   134.65   141.04   164.94   162.09   152.75  
BF            39.15    46.02    59.68    64.95    67.73  
d 5            2.93    11.21    31.69    26.37    14.86  
d11           20.10    11.33     1.10    -1.70    -2.31  
d13            4.37     4.84     4.85     2.25     1.76  
d15            1.95     1.49     1.48     4.07     4.56  
d21            1.20     3.79     8.23     7.50     8.23  
d24            8.53     5.94     1.50     2.23     1.50  
ea16          13.30    15.16    19.19    15.43    15.21
ズームレンズ群データ
群  始面    焦点距離  レンズ構成長  前側主点位置  後側主点位置
1    1     118.64        13.76         0.67         -6.87
2    6     -18.71        17.52         1.42        -12.76
3   12      35.43         3.47         0.76         -1.40
4   14     -37.99         1.00        -0.01         -0.55
5   16      27.19        14.44         4.27         -5.90
6   22     -60.04         3.47         1.93          0.04
7   25      89.08         2.77         1.07         -0.42
【０１１７】
（数値実施例２）
単位 mm
面データ
面番号       r        d      nd         νd       有効径
1        263.908    2.00   1.84666    23.8       62.38
2        102.984    4.88   1.77250    49.6       59.16
3        432.623    0.15                         58.45
4         47.920    5.69   1.77250    49.6       53.04
5         92.060  (可変)                         51.75
6*        83.302    1.50   1.88300    40.8       34.03
7         14.660    8.25                         24.57
8        -68.041    1.10   1.77250    49.6       24.23
9         32.879    0.15                         23.36
10         25.387    7.22   1.74000    28.3       23.57
11        -36.500    0.51                         22.80
12        -31.360    1.10   1.77250    49.6       22.53
13       -106.222  (可変)                         22.18
14(絞り)    ∞       2.00                         (可変)
15         25.859    3.44   1.84666    23.8       19.13
16        495.764  (可変)                         18.87
17       -126.927    1.00   1.84666    23.8       18.52
18         15.691    6.98   1.49700    81.5       18.24
19        -43.057    0.15                         19.03
20         24.294    4.53   1.59282    68.6       19.59
21        -69.931  (可変)                         19.20
22        -36.334    2.78   1.84666    23.8       17.01
23        -17.718    0.90   1.61340    44.3       17.04
24         57.013  (可変)                         17.00
25       1777.902    4.04   1.49700    81.5       18.84
26        -27.300    0.15                         19.56
27        -72.953    1.40   1.85400    40.4       19.71
28*      1270.014                                 20.15
非球面データ
第6面
K = 0.00000e+000  A 4= 5.42530e-006  A 6=-4.61658e-009  A 8= 1.31132e-012  A10= 5.13380e-015  
第28面
K = 0.00000e+000  A 4= 2.06523e-005  A 6= 1.73814e-008  A 8= 2.94525e-010  A10=-5.65490e-013  
各種データ
ズーム比      2.84 
第１領域              第２領域
広角      中間    望遠      至近    最至近
焦点距離      24.30    35.00    68.99    64.84    66.22  
Fナンバー      4.10     4.10     4.10     5.20     5.83  
半画角（度）  41.68    31.72    17.41    18.45    18.09  
像高          21.64    21.64    21.64    21.64    21.64  
レンズ全長   133.45   137.89   161.03   159.82   158.68  
BF            39.81    46.58    59.81    62.59    68.14  
d 5            2.92    10.68    32.00    27.57    22.26  
d13           21.35    11.50     1.04     1.74     0.33  
d16            3.00     2.75     1.81     1.55     1.57  
d21            1.86     3.21     4.53     3.66     3.86  
d24            4.60     3.25     1.94     2.80     2.60  
ea14          13.38    14.79    17.54    14.01    13.28
ズームレンズ群データ
群  始面    焦点距離  レンズ構成長  前側主点位置  後側主点位置
1    1     113.37        12.71        -0.25         -7.25
2    6     -19.45        19.83         0.97        -14.34
3   14      32.12         5.44         1.90         -1.96
4   17      46.83        12.66        11.53          5.03
5   22     -47.92         3.68         0.11         -1.94
6   25     162.88         5.59         2.19         -1.41
【０１１８】
（数値実施例３）
単位 mm
面データ
面番号       r        d      nd         νd       有効径
1        198.785    2.00   1.84666    23.8       56.29
2         69.696    5.45   1.77250    49.6       51.45
3        359.221    0.15                         50.06
4         46.783    4.42   1.77250    49.6       42.27
5        107.035  (可変)                         41.19
6*       113.860    1.60   1.88300    40.8       31.79
7         14.923    7.35                         23.29
8        -50.320    1.20   1.88300    40.8       22.94
9         30.250    0.15                         22.23
10         27.615    6.31   1.80518    25.4       22.41
11        -32.652    1.10   1.77250    49.6       22.23
12       -102.403  (可変)                         21.86
13         29.398    3.13   1.72047    34.7       16.90
14        -82.282  (可変)                         16.79
15        -30.261    0.90   1.84666    23.8       15.95
16        917.764  (可変)                         16.08
17(絞り)    ∞       1.50                         16.54
18         52.353    3.48   1.59282    68.6       16.70
19        -30.468    0.15                         16.69
20         30.154    4.34   1.49700    81.5       15.85
21        -23.115    0.90   1.90366    31.3       15.00
22        -60.133  (可変)                         14.72
23       -299.625    0.80   1.83481    42.7       13.82
24         22.008    1.85   1.84666    23.8       13.30
25         38.425  (可変)                         13.16
26        624.093    2.36   1.85400    40.4       17.14
27*      -162.823                                 17.84
非球面データ
第6面
K = 0.00000e+000  A 4= 4.95365e-006  A 6=-7.83369e-009  A 8= 1.79042e-012  A10= 2.63740e-014  A12=-5.16279e-017  
第27面
K = 0.00000e+000  A 4= 1.92991e-005  A 6= 1.90581e-008  A 8= 3.02065e-010  A10=-1.11865e-012  
各種データ
ズーム比      3.42 
第１領域              第２領域
広角      中間    望遠      至近    最至近
焦点距離      24.30    35.10    82.99    68.22    64.03  
Fナンバー      3.58     4.42     5.89     5.92     5.87  
半画角（度）  41.68    31.65    14.61    17.60    18.67  
像高          21.64    21.64    21.64    21.64    21.64  
レンズ全長   126.64   128.32   155.92   149.57   148.58  
BF            39.39    49.31    64.14    65.59    65.96  
d 5            2.38     3.96    27.87    19.81    17.58  
d12           22.06    12.25     1.10     1.37     2.23  
d14            3.97     3.98     3.73     1.96     1.93  
d16            1.53     1.53     1.78     3.55     3.58  
d22            1.20     2.90     6.66     5.89     5.13  
d25            6.96     5.26     1.50     2.28     3.04  
ズームレンズ群データ
群  始面    焦点距離  レンズ構成長  前側主点位置  後側主点位置
1    1      94.77        12.01         1.24         -5.48
2    6     -16.73        17.71         1.20        -12.38
3   13      30.42         3.13         0.48         -1.36
4   15     -34.59         0.90         0.02         -0.47
5   17      22.76        10.37         3.21         -4.06
6   23     -41.06         2.65         1.29         -0.14
7   26     151.42         2.36         1.01         -0.26
【０１１９】
（数値実施例４）
単位 mm
面データ
面番号       r        d      nd         νd       有効径
1*        60.752    1.80   1.48749    70.2       39.59
2         16.615   10.98                         29.43
3        -62.412    1.30   1.80400    46.6       29.02
4         33.827    1.46                         27.28
5         38.115    5.09   1.75520    27.5       27.47
6       -163.919  (可変)                         27.00
7         33.384    2.77   1.58313    59.4       18.13
8       -134.419  (可変)                         18.05
9        -41.566    1.00   1.91082    35.3       17.84
10      -10207.879 (可変)                         18.06
11(絞り)    ∞       2.00                         18.92
12         29.694    4.66   1.59282    68.6       20.39
13        -50.762    0.15                         20.31
14         30.222    4.87   1.49700    81.5       19.44
15        -32.918    1.00   1.90366    31.3       18.61
16       -168.309  (可変)                         18.20
17        169.843    0.90   1.80100    35.0       13.84
18         15.404    2.42   1.84666    23.8       13.41
19         31.151  (可変)                         13.34
20        242.197    2.20   1.85400    40.4       15.69
21*     -1299.657                                 16.30
非球面データ
第1面
K = 0.00000e+000  A 4= 7.98108e-006  A 6= 2.06752e-009  A 8=-2.22927e-012  A10= 1.59653e-014  A12=-1.90985e-018  
第21面
K = 0.00000e+000  A 4= 2.88036e-005  A 6= 5.42766e-008  A 8= 4.78099e-010  A10=-2.33568e-012  
各種データ
ズーム比      2.84 
第１領域              第２領域
広角      中間    望遠      至近    最至近
焦点距離      24.30    35.00    60.00    64.36    69.08  
Fナンバー      3.60     4.27     5.87     6.26     6.64  
半画角（度）  41.68    31.72    19.83    18.58    17.39  
像高          21.64    21.64    21.64    21.64    21.64  
レンズ全長   120.53   117.43   127.28   129.34   133.40  
BF            39.61    49.44    72.30    77.31    82.31  
d 6           27.04    14.11     1.10    -1.85    -2.80  
d 8            3.07     3.79     3.79     1.85     1.86  
d10            2.22     1.50     1.50     3.44     3.42  
d16            1.20     2.35     4.49     4.27     4.20  
d19            4.79     3.64     1.50     1.72     1.79  
ズームレンズ群データ
群  始面    焦点距離  レンズ構成長  前側主点位置  後側主点位置
1    1     -30.25        20.62         3.59        -13.91
2    7      46.14         2.77         0.35         -1.41
3    9     -45.83         1.00        -0.00         -0.53
4   11      24.52        12.68         3.11         -5.72
5   17     -52.17         3.32         2.49          0.65
6   20     239.21         2.20         0.19         -1.00
【０１２０】
（数値実施例５）
単位 mm
面データ
面番号       r        d      nd         νd       有効径
1        230.276    2.10   1.84666    23.8       61.89
2         82.258    4.87   1.77250    49.6       56.85
3        241.484    0.15                         55.45
4         53.998    5.22   1.77250    49.6       48.76
5        143.749  (可変)                         47.66
6*        87.658    1.90   1.77250    49.6       38.48
7         15.373   10.37                         26.63
8        -40.409    1.30   1.72000    50.2       26.20
9         31.051    0.15                         25.33
10         29.379    5.51   1.80518    25.4       25.48
11       -130.576  (可変)                         25.07
12         39.119    2.82   1.69895    30.1       19.06
13       -192.405  (可変)                         19.12
14        -40.172    1.00   1.84666    23.8       19.19
15        342.708  (可変)                         19.72
16(絞り)    ∞       2.00                         (可変)
17         33.216    5.57   1.59282    68.6       22.31
18        -38.857    0.15                         22.35
19         33.595    6.39   1.49700    81.5       21.16
20        -24.200    1.00   1.90366    31.3       20.06
21       -143.460  (可変)                         19.68
22        429.899    0.90   1.80100    35.0       17.20
23         17.653    2.58   1.84666    23.8       16.55
24         43.631  (可変)                         16.37
25         99.674    2.58   1.85400    40.4       18.65
26*      -429.347                                 19.19
非球面データ
第6面
K = 0.00000e+000  A 4= 5.56364e-006  A 6=-6.07726e-009  A 8= 7.28646e-012  A10=-6.28160e-015  
第26面
K = 0.00000e+000  A 4= 1.76755e-005  A 6=-2.39438e-008  A 8= 6.64573e-010  A10=-2.91200e-012  
各種データ
ズーム比      2.84 
焦点距離      24.30    35.10    69.00    63.64    59.41  
Fナンバー      4.10     4.10     4.10     5.32     5.86  
半画角（度）  41.68    31.65    17.41    18.78    20.01  
像高          21.64    21.64    21.64    21.64    21.64  
レンズ全長   133.55   134.87   162.69   157.85   155.03  
BF            39.55    49.91    63.96    76.00    76.74  
d 5            0.90     2.58    26.25     7.44     1.20  
d11           21.71    10.99     1.10     3.03     5.70  
d13            4.87     5.55     5.55     8.30    10.16  
d15            2.18     1.50     1.50    -1.25    -3.11  
d21            1.20     3.24     6.07     5.92     5.49  
d24            6.58     4.54     1.71     1.86     2.29  
ea16          13.67    16.38    20.39    17.82    16.16
ズームレンズ群データ
群  始面    焦点距離  レンズ構成長  前側主点位置  後側主点位置
1    1     115.44        12.34         0.86         -6.04
2    6     -20.27        19.22         2.08        -13.42
3   12      46.75         2.82         0.28         -1.38
4   14     -42.42         1.00         0.06         -0.48
5   16      26.25        15.10         2.85         -7.37
6   22     -67.48         3.48         2.40          0.48
7   25      94.94         2.58         0.26         -1.13
【０１２１】
（数値実施例６）
単位 mm
面データ
面番号       r        d      nd         νd       有効径
1        247.963    2.00   1.84666    23.8       62.84
2         94.107    6.23   1.77250    49.6       59.33
3       2535.470    0.15                         58.16
4         56.515    4.28   1.77250    49.6       51.55
5         96.425  (可変)                         50.36
6*        68.384    1.50   1.83481    42.7       33.02
7         14.938    8.18                         24.15
8        -43.297    1.10   1.77250    49.6       23.77
9         29.027    0.15                         22.57
10         26.172    6.88   1.74000    28.3       22.68
11        -33.102    0.65                         22.01
12        -26.759    1.10   1.77250    49.6       21.70
13        -57.409  (可変)                         21.33
14(絞り)    ∞       2.00                         (可変)
15         21.901    3.31   1.84666    23.8       20.12
16         59.010    2.07                         19.73
17        142.689    1.00   1.84666    23.8       19.49
18         15.173    7.18   1.49700    81.5       18.93
19        -53.709    0.15                         19.52
20         24.378    4.19   1.59282    68.6       19.90
21       -167.436  (可変)                         19.44
22        -36.741    2.60   1.84666    23.8       17.01
23        -18.117    0.90   1.61340    44.3       16.96
24         62.501  (可変)                         16.58
25*       259.761    6.10   1.58313    59.4       21.63
26        -17.957    1.10   1.91082    35.3       22.51
27        -35.475                                 24.22
非球面データ
第6面
K = 0.00000e+000  A 4= 5.29974e-006  A 6=-4.47970e-009  A 8=-6.03868e-012  A10= 1.74504e-014  
第25面
K = 0.00000e+000  A 4=-1.78262e-005  A 6=-4.57943e-009  A 8=-2.59388e-010  A10= 4.39480e-013  
各種データ
ズーム比      2.75 
焦点距離      24.70    35.00    68.00    52.69    61.07  
Fナンバー      4.00     4.10     4.10     5.18     5.80  
半画角（度）  41.22    31.72    17.65    22.32    19.51  
像高          21.64    21.64    21.64    21.64    21.64  
レンズ全長   135.95   142.83   168.21   149.36   156.88  
BF            39.00    46.61    61.07    68.32    76.67  
d 5            2.84    10.83    32.00     5.56     6.84  
d13           19.67    10.94     0.70     1.03    -1.08  
d21            2.13     3.36     5.71     4.99     5.40  
d24            9.49     8.26     5.91     6.63     6.22  
ea14          13.92    15.04    18.02    15.05    14.52
ズームレンズ群データ
群  始面    焦点距離  レンズ構成長  前側主点位置  後側主点位置
1    1     121.70        12.66         0.79         -6.26
2    6     -19.05        19.57         1.58        -13.70
3   14      24.80        19.90         8.66         -7.23
4   22     -50.16         3.50         0.05         -1.90
5   25     101.62         7.20         4.51          0.05
【０１２２】
【表１】
2014016465.tif 000004
【０１２３】
次に実施例１乃至６に示したズームレンズを撮像装置に適用した実施例を図１３を用いて説明する。本発明の撮像装置はズームレンズを含む交換レンズ装置と、交換レンズ装置とカメラマウント部を介して着脱可能に接続され、ズームレンズが形成する光学像を受光して、電気的な画像信号に変換する撮像素子を含むカメラ本体とを備えている。
【０１２４】
図１３は一眼レフカメラの要部概略図である。図１３において、１０は実施例１乃至６のズームレンズ１を有する撮影レンズである。ズームレンズ１は保持部材である鏡筒２に保持されている。２０はカメラ本体であり、撮影レンズ１０からの光束を上方に反射するクイックリターンミラー３、撮影レンズ１０の像形成位置に配置された焦点板４より構成されている。更に、焦点板４に形成された逆像を正立像に変換するペンタダハプリズム５、その正立像を観察するための接眼レンズ６などによって構成されている。
【０１２５】
７は感光面であり、ＣＣＤセンサやＣＭＯＳセンサ等のズームレンズによって形成される像を受光する固体撮像素子（光電変換素子）や銀塩フィルムが配置される。撮影時にはクイックリターンミラー３が光路から退避して、感光面７上に撮影レンズ１０によって像が形成される。実施例１乃至６にて説明した利益は、本実施例に開示したような撮像装置において効果的に享受される。
【０１２６】
撮像装置としてクイックリターンミラー３のないミラーレスの一眼レフカメラにも同様に適用できる。
【符号の説明】
【０１２７】
ＳＰ：絞り      ＩＰ：撮像面      Ｌ１〜Ｌ６：第１レンズ群〜第７レンズ群
Ｌｐ、Ｌｎ：前記正レンズ群、及び負レンズ群
Ｆｏｃｕｓ：フォーカシングで移動する群と、その移動方向
【図１】
2014016465.tif 000005
【図２】
2014016465.tif 000006
【図３】
2014016465.tif 000007
【図４】
2014016465.tif 000008
【図５】
2014016465.tif 000009
【図６】
2014016465.tif 000010
【図７】
2014016465.tif 000011
【図８】
2014016465.tif 000012
【図９】
2014016465.tif 000013
【図１０】
2014016465.tif 000014
【図１１】
2014016465.tif 000015
【図１２】
2014016465.tif 000016
【図１３】
2014016465.tif 000017